【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
基地局において、前記基地局に関する複数のパラメータを備えるシステム情報ブロックを生成することと、ここにおいて、前記複数のパラメータが、少なくとも１つのリッスンビフォアトーク（ＬＢＴ）パラメータと、少なくとも１つのセル識別子と、少なくとも１つの無線フレーム識別子とを備える、
前記基地局から、ユーザ機器（ＵＥ）に免許不要無線周波数スペクトル帯域を介して前記システム情報ブロックを送信することと
を備える、ワイヤレス通信のための方法。
【請求項２】
前記システム情報ブロックが、前記基地局に関連付けられたクリアチャネルアセスメント（ＣＣＡ）除外送信（ＣＥＴ）サブフレームの間の前記免許不要無線周波数スペクトル帯域を介して送信される、請求項１に記載の方法。
【請求項３】
前記ＣＥＴサブフレームが周期的であり、前記システム情報ブロックを送信することが、
前記ＣＥＴの各インスタンスにおいて前記システム情報ブロックを送信すること
を備える、請求項２に記載の方法。
【請求項４】
日和見的なシステム情報ブロック送信に関連付けられた非ＣＥＴサブフレームより前にＣＣＡを実施することと、
前記ＣＣＡが成功すると、前記非ＣＥＴサブフレーム上で前記システム情報ブロックを送信することと
をさらに備える、請求項２に記載の方法。
【請求項５】
前記少なくとも１つのＬＢＴパラメータを動的に修正することと、
次のＣＥＴサブフレームにおいて前記システム情報ブロックの更新バージョンを送信することと
をさらに備える、請求項２に記載の方法。
【請求項６】
様々な時間間隔で前記システム情報ブロックの様々な冗長バージョンを送信することをさらに備える、請求項４に記載の方法。
【請求項７】
前記少なくとも１つのセル識別子が、物理セル識別子（ＰＩＤ）、事業者識別子、セルグローバル識別子（ＣＧＩ）、およびそれらの組合せから構成されるグループから選択される、請求項１に記載の方法。
【請求項８】
前記少なくとも１つのＬＢＴパラメータが、拡張ＣＣＡ（ＥＣＣＡ）カウンタパラメータ、ＣＣＡエネルギーしきい値、基地局再同期用のガード期間、およびそれらの組合せから構成されるグループから選択される、請求項１に記載の方法。
【請求項９】
前記少なくとも１つの無線フレーム識別子が、システムフレーム番号（ＳＦＮ）を備える、請求項１に記載の方法。
【請求項１０】
前記システム情報ブロックが、前記免許不要無線周波数スペクトル帯域に関連付けられたコンポーネントキャリアの全帯域幅に及ぶ、請求項１に記載の方法。
【請求項１１】
ユーザ機器（ＵＥ）において、基地局から免許不要無線周波数スペクトル帯域を介してシステム情報ブロックを受信すること
を備え、
前記システム情報ブロックが、前記基地局に関する複数のパラメータを備え、前記複数のパラメータが、少なくとも１つのリッスンビフォアトーク（ＬＢＴ）パラメータと、少なくとも１つのセル識別子と、少なくとも１つの無線フレーム識別子とを備える、
ワイヤレス通信のための方法。
【請求項１２】
前記システム情報ブロック内で受信された前記少なくとも１つのＬＢＴパラメータに基づいて、ＬＢＴ動作を調整すること
をさらに備える、請求項１１に記載の方法。
【請求項１３】
様々な時間間隔で前記システム情報ブロックの様々な冗長バージョンを受信することをさらに備える、請求項１１に記載の方法。
【請求項１４】
基地局において、前記基地局に関する複数のパラメータを備えるシステム情報ブロックを生成するための手段と、ここにおいて、前記複数のパラメータが、少なくとも１つのリッスンビフォアトーク（ＬＢＴ）パラメータと、少なくとも１つのセル識別子と、少なくとも１つの無線フレーム識別子とを備える、
前記基地局から、ユーザ機器（ＵＥ）に免許不要無線周波数スペクトル帯域を介して前記システム情報ブロックを送信するための手段と
を備える、ワイヤレス通信のための装置。
【請求項１５】
ユーザ機器（ＵＥ）において、基地局から免許不要無線周波数スペクトル帯域を介してシステム情報ブロックを受信するための手段
を備え、
前記システム情報ブロックが、前記基地局に関する複数のパラメータを備え、前記複数のパラメータが、少なくとも１つのリッスンビフォアトーク（ＬＢＴ）パラメータと、少なくとも１つのセル識別子と、少なくとも１つの無線フレーム識別子とを備える、
ワイヤレス通信のための装置。
【手続補正２】
【補正対象書類名】明細書
【補正対象項目名】０２４９
【補正方法】変更
【補正の内容】
【０２４９】
[0270]本開示の前の説明は、当業者が本開示を作成または使用することが可能になるように提供される。本開示への様々な修正が当業者には容易に明らかであり、本明細書において定義された一般原理は、本開示の趣旨または範囲から逸脱することなく、他の変形形態に適用され得る。本開示全体にわたって、「例」または「例示的」という用語は、例または事例を示すものであり、言及された例についてのいかなる選好も暗示または要求しない。したがって、本開示は、本明細書に記載された例および設計に限定されるべきでなく、本明細書で開示された原理および新規の特徴に合致する最も広い範囲を与えられるべきである。
以下に本願の出願当初の特許請求の範囲に記載された発明を付記する。
［Ｃ１］
基地局に関する複数のパラメータを備えるシステム情報ブロックを生成することと、ここにおいて、前記複数のパラメータが、少なくとも１つのリッスンビフォアトーク（ＬＢＴ）パラメータと、少なくとも１つのセル識別子と、少なくとも１つの無線フレーム識別子とを備える、
免許不要無線周波数スペクトル帯域を介して前記システム情報ブロックを送信することと
を備える、ワイヤレス通信のための方法。
［Ｃ２］
前記システム情報ブロックが、前記基地局に関連付けられたクリアチャネルアセスメント（ＣＣＡ）除外送信（ＣＥＴ）サブフレームの間の前記免許不要無線周波数スペクトル帯域を介して送信される、Ｃ１に記載の方法。
［Ｃ３］
前記ＣＥＴサブフレームが周期的であり、前記システム情報ブロックを送信することが、
前記ＣＥＴの各インスタンスにおいて前記システム情報ブロックを送信すること
を備える、Ｃ２に記載の方法。
［Ｃ４］
日和見的なシステム情報ブロック送信に関連付けられた非ＣＥＴサブフレームより前にＣＣＡを実施することと、
前記ＣＣＡが成功すると、前記非ＣＥＴサブフレーム上で前記システム情報ブロックを送信することと
をさらに備える、Ｃ２に記載の方法。
［Ｃ５］
前記少なくとも１つのＬＢＴパラメータを動的に修正することと、
次のＣＥＴサブフレームにおいて前記システム情報ブロックの更新バージョンを送信することと
をさらに備える、Ｃ２に記載の方法。
［Ｃ６］
様々な時間間隔で前記システム情報ブロックの様々な冗長バージョンを送信することをさらに備える、Ｃ４に記載の方法。
［Ｃ７］
前記少なくとも１つのセル識別子が、物理セル識別子（ＰＩＤ）、事業者識別子、セルグローバル識別子（ＣＧＩ）、およびそれらの組合せから構成されるグループから選択される、Ｃ１に記載の方法。
［Ｃ８］
前記少なくとも１つのＬＢＴパラメータが、拡張ＣＣＡ（ＥＣＣＡ）カウンタパラメータ、ＣＣＡエネルギーしきい値、基地局再同期用のガード期間、およびそれらの組合せから構成されるグループから選択される、Ｃ１に記載の方法。
［Ｃ９］
前記少なくとも１つの無線フレーム識別子が、システムフレーム番号（ＳＦＮ）を備える、Ｃ１に記載の方法。
［Ｃ１０］
前記基地局におけるＥＣＣＡ手順が、ユニキャスト送信およびブロードキャスト送信について同一である、Ｃ８に記載の方法。
［Ｃ１１］
前記システム情報ブロックが、前記免許不要無線周波数スペクトル帯域に関連付けられたコンポーネントキャリアの全帯域幅に及ぶ、Ｃ１に記載の方法。
［Ｃ１２］
免許不要無線周波数スペクトル帯域を介してシステム情報ブロックを受信すること
を備え、
前記システム情報ブロックが、基地局に関する複数のパラメータを備え、前記複数のパラメータが、少なくとも１つのリッスンビフォアトーク（ＬＢＴ）パラメータと、少なくとも１つのセル識別子と、少なくとも１つの無線フレーム識別子とを備える、
ワイヤレス通信のための方法。
［Ｃ１３］
前記システム情報ブロックが、前記基地局に関連付けられたクリアチャネルアセスメント（ＣＣＡ）除外送信（ＣＥＴ）サブフレームの間の前記免許不要無線周波数スペクトル帯域を介して受信される、Ｃ１２に記載の方法。
［Ｃ１４］
前記システム情報ブロック内で受信された前記少なくとも１つのＬＢＴパラメータに基づいて、ＬＢＴ動作を調整すること
をさらに備える、Ｃ１２に記載の方法。
［Ｃ１５］
様々な時間間隔で前記システム情報ブロックの様々な冗長バージョンを受信することをさらに備える、Ｃ１２に記載の方法。
［Ｃ１６］
前記少なくとも１つのセル識別子が、物理セル識別子（ＰＩＤ）、事業者識別子、セルグローバル識別子（ＣＧＩ）、およびそれらの組合せから構成されるグループから選択される、Ｃ１２に記載の方法。
［Ｃ１７］
前記少なくとも１つのＬＢＴパラメータが、拡張ＣＣＡ（ＥＣＣＡ）カウンタパラメータ、ＣＣＡエネルギーしきい値、基地局再同期用のガード期間、およびそれらの組合せから構成されるグループから選択される、Ｃ１２に記載の方法。
［Ｃ１８］
前記少なくとも１つの無線フレーム識別子が、システムフレーム番号（ＳＦＮ）を備える、Ｃ１２に記載の方法。
［Ｃ１９］
前記システム情報ブロックが、前記免許不要無線周波数スペクトル帯域に関連付けられたコンポーネントキャリアの全帯域幅に及ぶ、Ｃ１２に記載の方法。
［Ｃ２０］
基地局に関する複数のパラメータを備えるシステム情報ブロックを生成するための手段と、ここにおいて、前記複数のパラメータが、少なくとも１つのリッスンビフォアトーク（ＬＢＴ）パラメータと、少なくとも１つのセル識別子と、少なくとも１つの無線フレーム識別子とを備える、
免許不要無線周波数スペクトル帯域を介して前記システム情報ブロックを送信するための手段と
を備える、ワイヤレス通信のための装置。
［Ｃ２１］
前記システム情報ブロックが、前記基地局に関連付けられたクリアチャネルアセスメント（ＣＣＡ）除外送信（ＣＥＴ）サブフレームの間の前記免許不要無線周波数スペクトル帯域を介して送信される、Ｃ２０に記載の装置。
［Ｃ２２］
前記ＣＥＴサブフレームが周期的であり、前記システム情報ブロックを送信するように構成された前記プロセッサが、
前記ＣＥＴの各インスタンスにおいて前記システム情報ブロックを送信すること
を行うように構成された前記プロセッサを備える、Ｃ２１に記載の装置。
［Ｃ２３］
日和見的なシステム情報ブロック送信に関連付けられた非ＣＥＴサブフレームより前にＣＣＡを実施するための手段と、
前記ＣＣＡが成功すると、前記非ＣＥＴサブフレーム上で前記システム情報ブロックを送信するための手段と
をさらに備える、Ｃ２１に記載の装置。
［Ｃ２４］
前記少なくとも１つのＬＢＴパラメータを動的に修正するための手段と、
次のＣＥＴサブフレームにおいて前記システム情報ブロックの更新バージョンを送信するための手段と
をさらに備える、Ｃ２１に記載の装置。
［Ｃ２５］
前記少なくとも１つのセル識別子が、物理セル識別子（ＰＩＤ）、事業者識別子、セルグローバル識別子（ＣＧＩ）、およびそれらの組合せから構成されるグループから選択される、Ｃ２０に記載の装置。
［Ｃ２６］
前記少なくとも１つのＬＢＴパラメータが、拡張クリアチャネルアセスメント（ＥＣＣＡ）カウンタパラメータ、ＣＣＡエネルギーしきい値、基地局再同期用のガード期間、およびそれらの組合せから構成されるグループから選択される、Ｃ２０に記載の装置。
［Ｃ２７］
免許不要無線周波数スペクトル帯域を介してシステム情報ブロックを受信するための手段
を備え、
前記システム情報ブロックが、基地局に関する複数のパラメータを備え、前記複数のパラメータが、少なくとも１つのリッスンビフォアトーク（ＬＢＴ）パラメータと、少なくとも１つのセル識別子と、少なくとも１つの無線フレーム識別子とを備える、
ワイヤレス通信のための装置。
［Ｃ２８］
前記システム情報ブロックが、前記基地局に関連付けられたクリアチャネルアセスメント（ＣＣＡ）除外送信（ＣＥＴ）サブフレームの間の前記免許不要無線周波数スペクトル帯域を介して受信される、Ｃ２７に記載の装置。
［Ｃ２９］
前記システム情報ブロック内で受信された前記少なくとも１つのＬＢＴパラメータに基づいて、ＬＢＴ動作を調整するための手段
をさらに備える、Ｃ２８に記載の装置。
［Ｃ３０］
様々な時間間隔で前記システム情報ブロックの様々な冗長バージョンを受信するための手段
をさらに備える、Ｃ２９に記載の装置。